(57)【要約】【課題】種々の表示処理方式に応じて、表示処理による消費電力を下げることを可能とする表示装置、表示方法、表示システム及びサーバ及びプログラムを提供する。【解決手段】表示部２１に液晶等の非発光方式のディスプレイを採用している場合には、携帯端末Ｔのシステム制御部２７が、表示部２１の画面に表示された地図画像データの画像を構成するオブジェクトの中で、表示面積が最大であるオブジェクトの色を白色に変換し、当該変換後の地図画像データを表示部２１により表示させる。【選択図】図１
2007114579.tif 000002
【特許請求の範囲】
【請求項１】
情報を画面に表示する表示手段を備える表示装置において、
前記画面に表示された前記情報の画像を構成する表示要素の中で表示面積が最大である当該表示要素の色を、前記表示手段による表示処理方法に応じて、当該表示処理による消費電力が最小となるような色に変換する色変換手段と、
前記変換後の前記情報を前記表示手段により表示させる表示制御手段と、
を更に備えることを特徴とする表示装置。
【請求項２】
請求項１に記載の表示装置において、
前記色変換手段は、前記画面に現在表示された前記情報の画像を含み、将来表示される可能性のある前記情報の画像の範囲内において、表示面積が最大である前記表示要素の色を、前記表示手段による表示処理方法に応じて、当該表示処理による消費電力が最小となるような色に変換することを特徴とする表示装置。
【請求項３】
請求項１または請求項２に記載の表示装置において、
前記色変換手段は、前記表示処理方法が、前記画面の各画素に夫々対応して、光源から発せられた光の透過量を調節することにより、当該各画素の色を表示する方法である場合には、前記表示面積が最大である当該表示要素の色を当該光の色に変換することを特徴とする表示装置。
【請求項４】
請求項３に記載の表示装置において、
前記表示制御手段が前記変換後の前記情報を前記表示手段により表示させる場合には、前記光源の発光量を下げる光源調節手段を更に備えることを特徴とする表示装置。
【請求項５】
請求項１または請求項２に記載の表示装置において、
前記色変換手段は、前記表示処理方法が、前記画面の各画素に夫々対応する発光体の発光量を調節することにより、当該各画素の色を表示する方法である場合には、前記表示面積が最大である当該表示要素の色を黒色に変換することを特徴とする表示装置。
【請求項６】
請求項１乃至５のいずれか１項に記載の表示装置において、
前記表示面積が最大である表示要素以外の少なくとも一以上の表示要素を、前記画面に表示される画像の構成から除外する除外手段を更に備えることを特徴とする表示装置。
【請求項７】
請求項１乃至５のいずれか１項に記載の表示装置において、
前記画面に表示される前記表示要素を選択する選択手段を更に備え、
前記色変換手段は、前記画面において、前記選択された表示要素が表示されない範囲の画像の色を、前記表示手段による表示処理方法に応じて、当該表示処理による消費電力が最小となるような色に変換することを特徴とする表示装置。
【請求項８】
請求項１乃至７のいずれか１項に記載の表示装置に含まれるコンピュータを、前記色変換手段及び前記表示制御手段として機能させることを特徴とするプログラム。
【請求項９】
情報を画面に表示する表示手段を備える表示装置における表示方法であって、
前記画面に表示された前記情報の画像を構成する表示要素の中で表示面積が最大である当該表示要素の色を、前記表示手段による表示処理方法に応じて、当該表示処理による消費電力が最小となるような色に変換する工程と、
前記変換後の前記情報を前記表示手段により表示させる工程と、
を備えることを特徴とする表示方法。
【請求項１０】
情報を画面に表示する表示手段を備える表示装置と、前記表示装置がネットワークを介して接続可能なサーバと、を備える表示システムにおいて、
前記サーバは、
前記表示装置により送信された、前記表示手段による表示処理方法を示す方法情報を受信する受信手段と、
前記画面に表示された前記情報の画像を構成する表示要素の中で表示面積が最大である当該表示要素の色を、前記表示手段による表示処理方法に応じて、当該表示処理による消費電力が最小となるような色に変換する色変換手段と、
前記変換後の情報を前記表示装置に送信する送信手段と、を備え、
前記表示装置は、
前記方法情報を前記サーバに送信する送信手段と、
前記サーバにより送信された情報を受信する受信手段と、
前記受信された情報を前記表示手段に表示させる表示制御手段と、
を備えることを特徴とする表示システム。
【請求項１１】
請求項１０に記載の表示装置であって、
前記表示手段、前記送信手段、前記受信手段及び前記表示制御手段を備えることを特徴とする表示装置。
【請求項１２】
請求項１１に記載の表示装置に含まれるコンピュータを、
前記送信手段、前記受信手段及び前記表示制御手段として機能させることを特徴とするプログラム。
【請求項１３】
請求項１０に記載のサーバであって、
前記受信手段、前記色変換手段及び前記送信手段を備えることを特徴とするサーバ。
【請求項１４】
請求項１３に記載のサーバに含まれるコンピュータを、
前記受信手段、前記色変換手段及び前記送信手段として機能させることを特徴とするプログラム。
【請求項１５】
情報を画面に表示する表示手段を備える表示装置と、前記表示装置がネットワークを介して接続可能なサーバと、を備える表示システムにおける表示方法であって、
前記表示装置が、前記表示手段による表示処理方法を示す方法情報を前記サーバに送信する工程と、
前記サーバが、前記表示装置により送信された方法情報を受信する工程と、
前記サーバが、前記画面に表示された前記情報の画像を構成する表示要素の中で表示面積が最大である当該表示要素の色を、前記表示手段による表示処理方法に応じて、当該表示処理による消費電力が最小となるような色に変換する工程と、
前記サーバが、前記変換後の情報を前記表示装置に送信する工程と、
前記表示装置が、前記サーバにより送信された情報を受信する工程と、
前記表示装置が、前記受信された情報を前記表示手段に表示させる工程と、
を備えることを特徴とする表示方法。
【請求項１６】
情報を画面に表示する表示手段を備える表示装置と、前記表示装置がネットワークを介して接続可能なサーバと、を備える表示システムにおいて、
前記サーバは、
前記表示装置により送信された、前記表示手段による表示処理方法を示す方法情報を受信する受信手段と、
前記表示装置の動作を制御するプログラムであって、前記受信された方法情報に対応するプログラムを前記表示装置に送信する送信手段と、を備え、
前記表示装置は、
前記方法情報を前記サーバに送信する送信手段と、
前記サーバにより送信されたプログラムを受信する受信手段と、
前記受信されたプログラムの制御に基づき前記画面に表示された前記情報の画像を構成する表示要素の中で表示面積が最大である当該表示要素の色を、前記受信されたプログラムの制御に基づき、前記表示手段による表示処理方法に応じて、当該表示処理による消費電力が最小となるような色に変換する色変換手段と、
前記受信されたプログラムの制御に基づき、前記変換後の前記情報を前記表示手段に表示させる表示制御手段と、
を更に備えることを特徴とする表示システム。
【請求項１７】
請求項１６に記載の表示装置であって、
前記表示手段、前記送信手段、前記受信手段、前記色変換手段及び前記表示制御手段を備えることを特徴とする表示装置。
【請求項１８】
請求項１７に記載のプログラムであって、
前記表示装置に含まれるコンピュータを、
前記色変換手段及び前記表示制御手段として機能させることを特徴とするプログラム。
【請求項１９】
請求項１６に記載のサーバであって、
前記受信手段及び前記送信手段を備えることを特徴とするサーバ。
【請求項２０】
請求項１９に記載のサーバに含まれるコンピュータを、
前記受信手段及び前記送信手段として機能させることを特徴とするプログラム。
【請求項２１】
情報を画面に表示する表示手段を備える表示装置と、前記表示装置がネットワークを介して接続可能なサーバと、を備える表示システムにおける表示方法であって、
前記表示装置が、前記表示手段による表示処理方法を示す方法情報を前記サーバに送信する工程と、
前記サーバが、前記表示装置により送信された方法情報を受信する工程と、
前記サーバが、前記表示装置の動作を制御するプログラムであって、前記受信された方法情報に対応するプログラムを前記表示装置に送信する工程と、
前記表示装置が、前記サーバにより送信されたプログラムを受信する工程と、
前記表示装置が、前記受信されたプログラムの制御に基づき前記画面に表示された前記情報の画像を構成する表示要素の中で表示面積が最大である当該表示要素の色を、前記受信されたプログラムの制御に基づき、前記表示手段による表示処理方法に応じて、当該表示処理による消費電力が最小となるような色に変換する工程と、
前記表示装置が、前記受信されたプログラムの制御に基づき、前記変換後の前記情報を前記表示手段に表示させる工程と、
を備えることを特徴とする表示方法。
【発明の詳細な説明】
【技術分野】
【０００１】
本願は、コンテンツデータ等の情報を表示する表示装置、表示方法、表示システム及びサーバ及びプログラムの技術分野に関する。
【背景技術】
【０００２】
現在、携帯電話機、ＰＤＡ（Personal Digital Assistant）、デジタルカメラ、カーナビゲーション等といった液晶ディスプレイ等の情報を表示する画面を有する携帯型の情報端末の開発が盛んに行われている。
【０００３】
これらバッテリーや乾電池等で駆動する携帯型の情報端末が、長時間の携帯使用に耐えるためには、消費電力を低く抑えることが最重要であり、その一つとして、画面表示による消費電力を下げることによる効果は少なくない。
【０００４】
また、上記した携帯型の情報端末以外のディスプレイ装置やテレビ等の機器においても、省エネ等の観点からすれば、画面表示による消費電力を下げることが望ましい。
【０００５】
そこで、省電力を実現する方法として、従来から、一定時間経過後にスクリーンセーバーを起動し、または画面表示をオフにし、あるいは画面を暗くする等の方法が一般的に用いられている。
【０００６】
また、例えば、特許文献１に記載の画像表示方法においては、入力された画像信号を輝度信号成分と色差信号成分変換し、輝度信号成分を強調するとともに、液晶ディスプレイのバックライトの光量を下げることで省電力を実現している。
【特許文献１】特開２００４−２４６０９９号公報
【発明の開示】
【発明が解決しようとする課題】
【０００７】
しかしながら、上述した従来の方法は、ユーザの意思にかかわりなく実行されてしまうものであるため、例えば、ディスプレイを見ている最中に画面表示が切り替わる等、使い勝手が悪く、また、画面を暗くした場合には、視認性が悪化するという問題がある。
【０００８】
また、特許文献１に記載の画像表示方法により液晶ディスプレイの消費電力を下げることは可能であるが、バックライトを有さないＣＲＴ（Cathode Ray Tube）、プラズマ、有機ＥＬ（Electro Luminescence）等のディスプレイに、この方法を適用することはできない。
【０００９】
本願は、以上の点に鑑みてなされたものであり、その課題の一例は、種々の表示処理方式に応じて、表示処理による消費電力を下げることを可能とする表示装置、表示方法、表示システム及びサーバ及びプログラムを提供することにある。
【課題を解決するための手段】
【００１０】
上記課題を解決するために、請求項１に記載の発明は、情報を画面に表示する表示手段を備える表示装置において、前記画面に表示された前記情報の画像を構成する表示要素の中で表示面積が最大である当該表示要素の色を、前記表示手段による表示処理方法に応じて、当該表示処理による消費電力が最小となるような色に変換する色変換手段と、前記変換後の前記情報を前記表示手段により表示させる表示制御手段と、を更に備えることを特徴とする。
【００１１】
請求項９に記載の発明は、情報を画面に表示する表示手段を備える表示装置における表示方法であって、前記画面に表示された前記情報の画像を構成する表示要素の中で表示面積が最大である当該表示要素の色を、前記表示手段による表示処理方法に応じて、当該表示処理による消費電力が最小となるような色に変換する工程と、前記変換後の前記情報を前記表示手段により表示させる工程と、を備えることを特徴とする。
【００１２】
請求項１０に記載の発明は、情報を画面に表示する表示手段を備える表示装置と、前記表示装置がネットワークを介して接続可能なサーバと、を備える表示システムにおいて、前記サーバは、前記表示装置により送信された、前記表示手段による表示処理方法を示す方法情報を受信する受信手段と、前記画面に表示された前記情報の画像を構成する表示要素の中で表示面積が最大である当該表示要素の色を、前記表示手段による表示処理方法に応じて、当該表示処理による消費電力が最小となるような色に変換する色変換手段と、前記変換後の情報を前記表示装置に送信する送信手段と、を備え、前記表示装置は、前記方法情報を前記サーバに送信する送信手段と、前記サーバにより送信された情報を受信する受信手段と、前記受信された情報を前記表示手段に表示させる表示制御手段と、を備えることを特徴とする。
【００１３】
請求項１１に記載の発明は、請求項１０に記載の表示装置であって、前記表示手段、前記送信手段、前記受信手段及び前記表示制御手段を備えることを特徴とする。
【００１４】
請求項１２に記載の発明は、請求項１１に記載の表示装置に含まれるコンピュータを、前記送信手段、前記受信手段及び前記表示制御手段として機能させることを特徴とする。
【００１５】
請求項１３に記載の発明は、請求項１０に記載のサーバであって、前記受信手段、前記色変換手段及び前記送信手段を備えることを特徴とする。
【００１６】
請求項１４に記載の発明は、請求項１３に記載のサーバに含まれるコンピュータを、前記受信手段、前記色変換手段及び前記送信手段として機能させることを特徴とする。
【００１７】
請求項１５に記載の発明は、情報を画面に表示する表示手段を備える表示装置と、前記表示装置がネットワークを介して接続可能なサーバと、を備える表示システムにおける表示方法であって、前記表示装置が、前記表示手段による表示処理方法を示す方法情報を前記サーバに送信する工程と、前記サーバが、前記表示装置により送信された方法情報を受信する工程と、前記サーバが、前記画面に表示された前記情報の画像を構成する表示要素の中で表示面積が最大である当該表示要素の色を、前記表示手段による表示処理方法に応じて、当該表示処理による消費電力が最小となるような色に変換する工程と、前記サーバが、前記変換後の情報を前記表示装置に送信する工程と、前記表示装置が、前記サーバにより送信された情報を受信する工程と、前記表示装置が、前記受信された情報を前記表示手段に表示させる工程と、を備えることを特徴とする。
【００１８】
請求項１６に記載の発明は、情報を画面に表示する表示手段を備える表示装置と、前記表示装置がネットワークを介して接続可能なサーバと、を備える表示システムにおいて、前記サーバは、前記表示装置により送信された、前記表示手段による表示処理方法を示す方法情報を受信する受信手段と、前記表示装置の動作を制御するプログラムであって、前記受信された方法情報に対応するプログラムを前記表示装置に送信する送信手段と、を備え、前記表示装置は、前記方法情報を前記サーバに送信する送信手段と、前記サーバにより送信されたプログラムを受信する受信手段と、前記受信されたプログラムの制御に基づき前記画面に表示された前記情報の画像を構成する表示要素の中で表示面積が最大である当該表示要素の色を、前記受信されたプログラムの制御に基づき、前記表示手段による表示処理方法に応じて、当該表示処理による消費電力が最小となるような色に変換する色変換手段と、前記受信されたプログラムの制御に基づき、前記変換後の前記情報を前記表示手段に表示させる表示制御手段と、を更に備えることを特徴とする。
【００１９】
請求項１７に記載の発明は、請求項１６に記載の表示装置であって、前記表示手段、前記送信手段、前記受信手段、前記色変換手段及び前記表示制御手段を備えることを特徴とする。
【００２０】
請求項１８に記載の発明は、請求項１７に記載のプログラムであって、前記表示装置に含まれるコンピュータを、前記色変換手段及び前記表示制御手段として機能させることを特徴とする。
【００２１】
請求項１９に記載の発明は、請求項１６に記載のサーバであって、前記受信手段及び前記送信手段を備えることを特徴とする。
【００２２】
請求項２０に記載の発明は、請求項１９に記載のサーバに含まれるコンピュータを、前記受信手段及び前記送信手段として機能させることを特徴とする。
【００２３】
請求項２１に記載の発明は、情報を画面に表示する表示手段を備える表示装置と、前記表示装置がネットワークを介して接続可能なサーバと、を備える表示システムにおける表示方法であって、前記表示装置が、前記表示手段による表示処理方法を示す方法情報を前記サーバに送信する工程と、前記サーバが、前記表示装置により送信された方法情報を受信する工程と、前記サーバが、前記表示装置の動作を制御するプログラムであって、前記受信された方法情報に対応するプログラムを前記表示装置に送信する工程と、前記表示装置が、前記サーバにより送信されたプログラムを受信する工程と、前記表示装置が、前記受信されたプログラムの制御に基づき前記画面に表示された前記情報の画像を構成する表示要素の中で表示面積が最大である当該表示要素の色を、前記受信されたプログラムの制御に基づき、前記表示手段による表示処理方法に応じて、当該表示処理による消費電力が最小となるような色に変換する工程と、前記表示装置が、前記受信されたプログラムの制御に基づき、前記変換後の前記情報を前記表示手段に表示させる工程と、を備えることを特徴とする。
【発明を実施するための最良の形態】
【００２４】
［１．省電力が実現される原理］
以下、本願の最良の実施形態について詳細に説明するが、それに先立ち、ディスプレイの表示処理における省電力が、本願により実現される原理について説明する。なお、図１は、ディスプレイの各表示処理方法における省電力の例を示す図である。
【００２５】
［１．１  非発光方式の場合］
非発光方式とは、ディスプレイ画面の画素自体が発光するのではなく、バックライトや外光等の光源と、シャッター機能を有するものとの組み合わせにより、光源から発せられた光の透過量を調節することで各画素の色を表現する処理方法であり、この方法を用いたディスプレイには、例えば、液晶ディスプレイがある。
【００２６】
液晶ディスプレイは、バックライト、フロントライトや外光により発せられた光を、液晶を用いて制御することで画像を表示させるディスプレイである。液晶は、透過する光を変更する性質を持ち、偏光板と組み合わせることで、光を透過させたり、遮断したりするシャッターの役割を果たす。
【００２７】
液晶ディスプレイは、例えば、透明電極を設けた２枚のガラス基盤により液晶を封入して構成されている。液晶が接するガラス基盤表面には液晶分子を配向させる膜が形成され、反対側のガラス基盤表面には偏光版が設けられている。そして、カラー液晶では、ガラス基盤の一方に、各画素に対応して３原色のカラーフィルタが設けられる。
【００２８】
バックライト、フロントライト等の光源としては、冷陰極管、ＬＥＤ（Light Emitting Diode）等が用いられ、常に光を発している。ここで、透明電極に電圧を加えない状態では、配向膜と偏光板の作用により、光源からの光が透過するように液晶分子が配列される。一方、透明電極に電圧を印加すると、その電圧の向きに液晶分子が配列することにより、光源からの光を遮断する。
【００２９】
非発光方式である液晶ディスプレイにおいては、透明電極に電圧を全く加えない状態で消費電力が最小となり、この場合の画素の色は光源色（光源が発する光の色）となる。従って、消費電力を最小にするためには、表示させる画素の色を光源色と同じにすれば良い。
【００３０】
ここで、光源色は一般的に白色であるから、画素の色も白色にする。また、白色は輝度が最大の色であり、視認性が良いため、光源による発光量を抑えることにより、更に消費電力を減少させることができる。
【００３１】
また、光源にＲＧＢ３色、６色等のＬＥＤを組み合わせることにより白色を表現し、かつ、各ＬＥＤの発光を個別に制御できるものであれば、画素の色をＲＧＢ３原色のいずれか一色にしても良い。このようにすれば、発光させるＬＥＤの数が減るため、消費電力を更に減少させることができる。
【００３２】
また、フィールドシーケンシャル方式の液晶ディスプレイにおいては、光源としてＲＧＢ３色（または６色）のＬＥＤが用いられ、各ＬＥＤをＲＧＢＲＧＢ・・・と高速にオン／オフ制御し、これに同期させて液晶によるシャッターを開閉させることにより、時間的に色を混合して画素の色を表現している。
【００３３】
そこで、上記方式においては、表示させる画素の色をＲＧＢ３原色のいずれか一色することで、透明電極には電圧を全く印加しない（つまりＬＥＤから発せられた光が完全に透過する）状態とし、ＲＧＢのいずれかのみのＬＥＤを発光させ、他のＬＥＤを発光させないことにより、消費電力を最小にすることができる。
【００３４】
［１．２  自発光方式の場合］
自発光方式とは、画素自体が光を発生する発光体により構成され、この発光体の発光量を調節することにより各画素の色を表現する処理方法であり、この方法を用いたディスプレイとしては、例えば、プラズマ、有機ＥＬ、ＣＲＴ、ＦＥＤ（Field Emission Display）、ＳＥＤ（Surface-conduction Electron-emitter Display）等がある。
【００３５】
プラズマディスプレイは、気体放電によって紫外線を生成し、この紫外線がＲＧＢの各蛍光体（本願に係る発光体の一例）に衝突することにより発光し、画像を表示させる。
【００３６】
プラズマディスプレイは、例えば、電極を設けた２枚のガラス基板の間に隔壁を形成することによりセルが設けられる。このセルには蛍光体が塗りつけられ、ネオンとキセノン混合ガス等の希ガスが封入されている。
【００３７】
このセルの両端の電極に電圧を印加すると、セル内で放電が起こり、紫外線が発生する。そして、この紫外線が蛍光体に衝突することで蛍光体が発光するのである。
【００３８】
有機ＥＬディスプレイは、エレクトロ・ルミネセンスという現象を利用したディスプレイである。
【００３９】
有機ＥＬディスプレイは、例えば、有機物質からなる発光層（本願に係る発光体の一例）が陽極と陰極の２つの電極に挟まれた構造となっており、陽極と発光層の間には正孔輸送層が、陰極と発光層の間には電子輸送層が夫々設けられている。発光層の光を外部に透過させるため、陽極または陰極のいずれかは透明電極が用いられている。
【００４０】
ここで、両電極に電圧を印加することにより、陽極から正孔を注入し、陰極から電子を注入すると、注入された正孔と電子は輸送層を通過して発光層で結合する。このときに発光層が励起されるが、再び基底状態に戻るときのエネルギーが光として放出されるのである。
【００４１】
有機ＥＬディスプレイのカラー化の方式としては、３色を独立して発光させる方式、青色発光を蛍光変換膜で赤、緑に変換する方式、白色発光をカラーフィルタで赤、緑、青に分光する方式等がある。
【００４２】
ＣＲＴディスプレイは、例えば、電子銃から発射された電子がシャドーマスク等に設けられた穴を通り、３色ストライプ状、ドット状等に配列された蛍光体（本願に係る発光体の一例）に衝突することにより、この蛍光体が発光する。電子銃に供給する電流の強さを調節すると、電子ビームの強さが変化し、これにより様々な色を表現することができる。電子ビームは、偏光ヨークが発生させる磁界により曲げられ、この磁界を変化させて、画面全体に電子ビームを当てる。
【００４３】
ＦＥＤ及びＳＥＤは、ＣＲＴと同様に陰極部分から電子を放出し、蛍光体へ衝突させることにより発光させるが、ＣＲＴとは異なり画素ごとに電子放出部が設けられている。
【００４４】
ＦＥＤは、電界電子放出を用いており、例えば、前面のガラス基盤にＲＧＢ３色の蛍光体と透明電極が設けられ、背面のガラス基盤にディップと呼ばれる鋭利な先端を持つ金属コーンと、それを囲むように形成されたゲート電極が設けられている。
【００４５】
ここで、ゲート電極とディップに電圧を印加すると、ディップ先端から電子が放出され、この電子が、ガラス基盤間に印加された電圧により加速されて蛍光体に衝突して発光する。
【００４６】
ＳＥＤは、背面のガラス基盤に設けられた電子放出膜により形成されたスリット間に電圧をかけると、トンネリング効果により電子が放出される。そして、ＦＥＤの場合と同様に、放出された電子が、ガラス基盤間に印加された電圧により加速されて蛍光体に衝突して発光する。
【００４７】
以上、自発光方式のディスプレイの表示処理方法について説明したが、これらのディスプレイにおいては、発光体を発光させない状態、つまり、発光体に全く電圧を加えないか、あるいは電子銃等の電子放出部に全く電圧を加えない状態で消費電力が最小となり、この場合の画素の色は黒色となる。従って、消費電力を最小にするためには、表示させる画素の色を黒色にすれば良い。
【００４８】
［１．３  まとめ］
以上の説明をまとめると、図１に示す通りとなり、非発光方式のディスプレイにおいては、表示させる色が光源色のときに消費電力が最小となり、自発光方式のディスプレイにおいては、黒色のときに消費電力が最小となる。
【００４９】
そこで、ディスプレイの画面に表示された情報（例えば、コンテンツデータ、画像データ等）の画像を構成する表示要素（例えば、道路、建物、背景、案内表示等）の中で表示面積が最大となる表示要素の色を上述した消費電力が最小となる色に変換した上で画面に表示させるようにすれば、変換せずにそのまま表示させる場合に比べて、消費電力が少なくなるのである。
【００５０】
そして、表示面積が最大となる表示要素以外の他の表示要素の色についても、消費電力が少なくなるような色（非発光方式では白色に近い色、自発光方式では黒色に近い色）に変換すると、より消費電力が少なくなる。
【００５１】
ここで、他の表示要素については、視認性も考慮した色に変換することも効果的である。
【００５２】
例えば、他の表示要素の色を、コントラスト比が高くなるような色に変換することにより、視認性が向上するため、画像全体の輝度を下げることができる。つまり、非発光方式のディスプレイにおいてはバックライト等の光源の発光量を減らすことができ、自発光方式のディスプレイにおいては発光体または電子放出部に印加する電圧を下げることができる。
【００５３】
また、他の表示要素の色を補色（例えば、赤と青緑等）等の組み合わせとすることで、視認性を向上させることも可能である。
【００５４】
また、自発光方式のディスプレイの場合には、他の表示要素の色をＲＧＢのいずれかの色に変換することで、電圧を印加する発光体または電子放出部の数を減らして、視認性を損なうことなく消費電力を更に減らすことが可能となる。
【００５５】
［２．第１実施形態］
次に、サーバから送信された情報に基づいて、携帯端末に地図情報を表示させる地図情報表示システムに対して本願を適用した場合の実施形態について説明する。
【００５６】
［２．１  地図情報表示システムＳの構成及び機能概要］
先ず、本実施形態に係る地図情報表示システムＳの構成及び機能について説明する。なお、図２は、第１実施形態に係る地図情報表示システムＳの概要構成の一例を示す図である。
【００５７】
図２に示すように、地図情報表示システムＳは、サーバＳＶと、表示装置としての携帯端末Ｔとが、ネットワークに接続されて構成されている。
【００５８】
サーバＳＶと、携帯端末Ｔとは、ネットワークを介して、例えば、通信プロトコルにＴＣＰ／ＩＰ（Transmission Control Protocol/Internet Protocol）を用いて、相互にデータの送受信が可能である。なお、ネットワークは、例えば、インターネット、移動体通信回線網等を含んで構成されている。
【００５９】
本システムにおいては、例えば、ＨＴＭＬ（Hyper Text Markup Language）テキストデータ、地図画像データ等を含む地図情報（本願に係る情報の一例）が、サーバＳＶから携帯端末Ｔに送信され、携帯端末Ｔにおいて、当該端末が有するディスプレイの表示処理方式に対応して、画像表示による消費電力が少なくなるような地図情報に変換した上で表示を行うようになっている。
【００６０】
［２．２  サーバＳＶの構成及び機能］
次に、サーバＳＶの構成及び機能について説明する。なお、図３は、第１実施形態に係るサーバＳＶの概要構成の一例を示すブロック図である。
【００６１】
サーバＳＶは、携帯端末Ｔから送信された地図情報取得要求に基づき地図情報を生成し、これを携帯端末Ｔに送信する。
【００６２】
図３に示すように、サーバＳＶは、各種プログラム及びデータ等を記憶する記憶部（例えば、ハードディスク等）１１と、ネットワークに接続して携帯端末Ｔとの通信状態を制御する通信処理部１３（例えば、ネットワークアダプタ等）と、ＣＰＵ（Central Processing Unit）、ＲＡＭ（Random Access Memory）、ＲＯＭ（Read Only Memory）等を備える制御部１３と、を備え、システムバス１４を介して相互に接続されている。
【００６３】
記憶部１１には、例えば、緯度及び経度からなる地図上の位置情報と、この位置情報に対応する地図画像データが記録された地図ＤＢ（DataBase）を有している。
【００６４】
制御部１３は、ＣＰＵが、ＲＯＭまたは記憶部１１に記憶された各種プログラムを読み出し実行することにより、サーバＳＶの各部を統括制御する。
【００６５】
なお、各種プログラム等は、例えば、他のサーバからダウンロードされるようにしても良いし、ＣＤ−ＲＯＭ等の記録媒体に記録されてドライブを介して読み込まれるようにしても良い。
【００６６】
［２．３  携帯端末Ｔの構成及び機能］
次に、携帯端末Ｔの構成及び機能について説明する。なお、図４は、第１実施形態に係る携帯端末Ｔの概要構成の一例を示すブロック図である。また、図５は、ＣＬＵＴの一例を示す図である。
【００６７】
携帯端末Ｔは、地図情報取得要求をサーバＳＶに送信するとともに、サーバＳＶから送信された地図情報に含まれる地図画像データを、当該端末の有するディスプレイの表示方法に応じたＣＬＵＴ（Color Look Up Table）に基づいて変換し、これを表示する。
【００６８】
携帯端末Ｔとしては、例えば、携帯電話機、ＰＤＡ（Personal Digital Assistant）、携帯型カーナビゲーション装置等が適用可能である。
【００６９】
図４に示すように、携帯端末Ｔは、文字や画像等の情報を表示する表示部２１と、各種プログラム及びデータ等を記憶する記憶部２２と、ネットワークに接続してサーバＳＶとの通信状態を制御する通信処理部２３と、ユーザからの操作指示を受け付け、その指示内容をシステム制御部２７に出力する操作部２４（例えば、操作ボタン等）と、携帯端末Ｔの本体に着脱可能に接続され、商用電源から供給された交流電力を直流電力に変換してバッテリー２６に供給する電源２５と、電源２５からの供給電力を充電するとともに、この充電された電力を各部に供給するバッテリー２６と、ＣＰＵ（Central Processing Unit）、ＲＡＭ（Random Access Memory）、ＲＯＭ（Read Only Memory）等を備えるシステム制御部２７と、を備えている。
【００７０】
表示手段としての表示部２１は、例えば、液晶またはプラズマ等のディスプレイパネル、バッファメモリ、グラフィックコントローラ等により構成されており、システム制御部２７の制御によりバッファメモリに入力された画像データを、所定のタイミングでグラフィックコントローラが読み出し、ディスプレイの画面に表示する。
【００７１】
記憶部２２は、例えば、不揮発性メモリまたはハードディスク等により構成され、システム制御部２７により受信された地図画像データに含まれ、画面に表示される画像を構成する各オブジェクト（本願に係る表示要素の一例であり、例えば、道路、建物、地面等）の色を、表示部２１の表示処理方法に応じて変換するためのＣＬＵＴを記憶している。
【００７２】
図５に示すように、ＣＬＵＴには、表示面積が最大となるオブジェクト及び他のオブジェクト夫々について、ＲＧＢ値の入力値と出力値とが対応付けられて設定されている。
【００７３】
各オブジェクトの色は、ＲＧＢごとに０〜２５５の輝度値で表現され、ＲＧＢ全てが０の場合に黒色となり、その反対に、ＲＧＢ全てが２５５の場合に白色となる。
【００７４】
入力値は、オブジェクトの元の色のＲＧＢごとにおける輝度値であり、出力値は、変換後の色のＲＧＢごとにおける輝度値である。
【００７５】
例えば、表示部２１が、非発光方式である陰極管バックファイトカラーフィルタ方式の液晶ディスプレイを採用している場合には、図５（ａ）に示すように、表示面積が最大となるオブジェクトのＲＧＢごとの輝度値Ｘｒ、Ｘｇ及びＸｂについては、全て２５５の輝度値が出力値として設定されている。つまり、面積が最大であるオブジェクトの色については、液晶ディスプレイによる表示処理による消費電力が最小の白色となる。
【００７６】
一方、他のオブジェクトについて、ＲＧＢごとの輝度値Ｙｒ、Ｙｇ及びＹｂを入力値とした場合には、夫々元の輝度値に３０加算した輝度値が出力値としてＣＬＵＴに設定されている。つまり、他のオブジェクトについても、液晶ディスプレイによる表示処理による消費電力が下がるような色が設定されるようになっている。このとき、加算後の輝度値が２５５以上となる場合には、当該輝度値を上限の２５５とする。
【００７７】
ただし、元の輝度値Ｙｒ、Ｙｇ及びＹｂが全て２００以上である場合には、出力値としては元の輝度値がそのまま設定されている。これは、元の色が明るい色であれば、液晶ディスプレイの表示処理による消費電力は低く、更に輝度を上げる必要性は少ないからであり、また、面積が最大であるオブジェクトの色が白色となることから、視認性の観点からは輝度を上げない方が望ましいからである。
【００７８】
また、表示部２１が、例えば、自発光方式であるＲＧＢ独立発光方式の有機ＥＬディスプレイを採用している場合には、図５（ｂ）に示すように、表示面積が最大であるオブジェクトのＲＧＢごとの輝度値Ｘｒ、Ｘｇ及びＸｂについては、全て０の輝度値が出力値として設定されている。つまり、面積が最大であるオブジェクトの色については、有機ＥＬディスプレイによる表示処理による消費電力が最小の黒色となる。
【００７９】
一方、他のオブジェクトについて、ＲＧＢごとの輝度値Ｙｒ、Ｙｇ及びＹｂを入力値とした場合には、夫々元の輝度値に３０減算した輝度値が出力値としてＣＬＵＴに設定されている。つまり、他のオブジェクトについても、有機ＥＬディスプレイによる表示処理による消費電力が下がるような色が設定されるようになっている。このとき、減算後の輝度値が０以下となる場合には、当該輝度値を下限の０とする。
【００８０】
ただし、元の輝度値Ｙｒ、Ｙｇ及びＹｂが全て１００未満である場合には、出力値としては元の輝度値がそのまま設定されている。
【００８１】
なお、ＣＬＵＴを用いる以外にも、例えば、上記のような入力及び出力のインタフェースを有するようなプログラムを用いるように構成しても良い。
【００８２】
システム制御部２７は、ＣＰＵが、ＲＯＭまたは記憶部２２に記憶された各種プログラムを読み出し実行することにより、サーバＳＶの各部を統括制御するとともに、地図情報表示プログラムを実行することにより、色変換手段、表示制御手段、光源調節手段等として機能するようになっている。
【００８３】
なお、ＣＬＵＴや地図表示プログラム等は、例えば、サーバＳＶからダウンロードされるようにしても良いし、ＣＤ−ＲＯＭ等の記録媒体に記録されてドライブを介して読み込まれるようにしても良い。
【００８４】
［２．４  地図情報表示システムＳの動作］
上記のような構成を有する地図情報表示システムＳの動作について説明する。なお、図６は、非発光方式のディスプレイにおいて、地図画像データ上の各オブジェクトの色が変換される様子を示す図であり、（ａ）は、変換前の地図画像データであり、（ｂ）は、変換前の各オブジェクトのＲＧＢごとにおける輝度値であり、（ｃ）は、変換後の地図画像データであり、（ｄ）は、変換後の各オブジェクトのＲＧＢごとにおける輝度値である。また、図７は、自発光方式のディスプレイにおいて、地図画像データ上の各オブジェクトの色が変換される様子を示す図であり、（ａ）は、変換前の地図画像データであり、（ｂ）は、変換前の各オブジェクトのＲＧＢごとにおける輝度値であり、（ｃ）は、変換後の地図画像データであり、（ｄ）は、変換後の各オブジェクトのＲＧＢごとにおける輝度値である。
【００８５】
先ず、携帯端末Ｔのシステム制御部２７は、操作部２４を介してユーザにより入力された位置情報を含む地図情報取得要求を、通信処理部２３を制御することにより、サーバＳＶに送信する。
【００８６】
ここで、表示部２１において液晶ディスプレイを採用している場合、システム制御部２７は、液晶ディスプレイのバックライトの光量を下げるように表示部２１を制御する。つまり、後述する地図画像データの変換処理により、地図画像データの色が全体的に明るい色に変換されるので、その分、バックライトの光量を下げることにより、視認性を落とすことなく、液晶ディスプレイの消費電力を下げるのである。
【００８７】
サーバＳＶの制御部１３は、携帯端末Ｔから送信された地図情報取得要求を、通信処理部１３を介して受信し、この要求に含まれる位置情報から、対応する地図画像データを記憶部１１の地図ＤＢから取得し、この地図データを表示させるタグ情報を含むＨＴＭＬテキストデータを生成する。そして、これらを含む地図情報を、通信処理部１３を制御することにより携帯端末Ｔに送信する。
【００８８】
携帯端末Ｔのシステム制御部２７は、サーバＳＶから送信された地図情報を、通信処理部２３を介して入力し、ＲＡＭに記憶させる。
【００８９】
次いでシステム制御部２７は、この地図画像データが表示部２１の画面に表示される範囲の画像を含み、将来表示される可能性のある所定の範囲の画像に含まれる各オブジェクト表示面積を算出し、表示面積が最大となるオブジェクトを判定する。
【００９０】
例えば、所定の広い範囲では地面の表示面積が最大であるのに、画面に表示させようとする一部の範囲では道路が密集して道路の表示面積が最大である場合に、画面に表示される範囲のみで表示面積が最大となるオブジェクトを判定し、そのオブジェクトである道路の色を消費電力が最小となる色に変換すると、カーナビゲーション等のように、地図画像データを移動させて、その一部を画面に表示させるような場合においては、その移動とともに地面が表示される面積が広くなる可能性が高く、全体としての消費電力に結びつかない。一方で、これを防止するために、地図画像データを表示する都度、画面に表示される範囲で表示面積が最大となるオブジェクトを判定し、変換を行った場合には、これまで白色で表示されていた道路が突然別の色で表示されてしまう等、画面のちらつきが発生し、視認性が悪くなる。
【００９１】
そこで、本実施形態においては、画面に表示される範囲のみならず、画面を含んだ将来表示される可能性のある所定範囲の中で、表示面積が最大となるオブジェクトを判定することとした。なお、上記のような不都合が存在しないのであれば、画面に表示される範囲のみで表示面積が最大となるオブジェクトを判定するように構成しても良い。
【００９２】
そして、システム制御部２７は、ＣＬＵＴを参照しながら地図画像データの変換処理を行うが、その一例を、図を用いて具体的に説明する。
【００９３】
図６（ａ）は、サーバＳＶから送信された地図画像データであり、当該データには、自端末１０１、地面１０２、移動経路１０３、主要道路１０４及び細街路１０５の各オブジェクトが含まれている。そして、各オブジェクトのＲＧＢ各輝度値は、図６（ｂ）に示す通りとなっている。なお、この例では、地面１０２の表示面積が最大であるとする。
【００９４】
表示部２１に液晶ディスプレイを採用した場合においては、図６（ｄ）に示すように、表示面積が最大のオブジェクトである地面１０２の全ての輝度値は２５５に変換される。また、移動経路１０３の各輝度値は、２００以上であるため、変換後の輝度値は変換前のものと同一となる。そして、自端末１０１、主要道路１０４及び細街路１０５の各輝度値は、変換前の輝度値から３０加算された値に変換される。
【００９５】
このようにして、地図画像データを変換すると、システム制御部２７は、変換後の地図画像データを表示部２１のバッファメモリに設定することにより、表示部２１に変換後の地図画像データを表示させる。その表示例が図６（ｃ）である。
【００９６】
なお、表示部２１に有機ＥＬディスプレイを採用した場合においては、図７（ｄ）に示すように、地面１０２の全ての輝度値は０に変換される。また、主要道路１０４及び細街路１０５の各輝度値は１００未満であるため、変換後の輝度値は変換前のものと同一となる。そして、自端末位置及び移動経路１０３の各輝度値は、変換前の輝度値から３０減算された値に変換される。この結果表示される地図画像データは図７（ｃ）に示す通りとなる。
【００９７】
以上説明したように、本実施形態によれば、表示部２１に液晶等の非発光方式のディスプレイを採用している場合には、携帯端末Ｔのシステム制御部２７が、表示部２１の画面に表示された地図画像データの画像を構成するオブジェクトの中で、表示面積が最大であるオブジェクトの色を白色に変換し、当該変換後の地図画像データを表示部２１により表示させる。また、表示部２１に有機ＥＬ等の自発光方式のディスプレイを採用している場合には、携帯端末Ｔのシステム制御部２７が、表示部２１の画面に表示された地図画像データの画像を構成するオブジェクトの中で、画面を含む所定の範囲の画像内において表示面積が最大であるオブジェクトの色を黒色に変換し、当該変換後の地図画像データを表示部２１により表示させる。
【００９８】
このように、表示面積が最大であるオブジェクトの色を、表示部２１による表示処理方法に応じて、当該表示処理による消費電力が最小となるような色に変換するので、各種の表示処理方法に応じて、当該表示処理による消費電力を下げることが可能となる。
【００９９】
また、画面に現在表示された地図画像データの画像を含み、将来表示される可能性のある地図画像データの画像の範囲内において、表示面積が最大であるオブジェクトの色を消費電力が最小となるような色に変換するので、例えば、時間の経過とともに位置を変えて地図画像データを表示させる場合においても、表示処理による消費電力を下げることが可能となる。
【０１００】
更に、ＣＬＵＴを変えるだけで各種ディスプレイの表示処理方法に対応することができるので、ディスプレイごとに省電力用のハードウエアを設計する必要がない。
【０１０１】
また更に、表示部２１に液晶ディスプレイを採用している場合には、システム制御部２７が、表示面積が最大のオブジェクトの色を白色に変換するとともに、変換後の地図画像データを表示部２１に表示させる際には、液晶ディスプレイのバックライトの光量を下げるので、視認性を落とすことなく、更に消費電力を下げることが可能となる。
【０１０２】
なお、本実施形態においては、サーバＳＶから送信された地図画像データを携帯端末Ｔにおいて変換し、表示していたが、これに限られるものではない。例えば、図８に示す地図情報表示システムＳ１のように、地図画像データを生成、表示するプログラムをサーバＳＶにおいて記憶しておき、携帯端末Ｔからのプログラム取得要求により、サーバＳＶから送信された当該プログラムを携帯端末Ｔにより実行することにより、地図画像データを生成し、この生成された画像データを、ＣＬＵＴを参照しながら変換して、表示させるようにしても良い。
【０１０３】
また、本実施形態においては、ＲＧＢ全ての輝度値がまとめて加算または減算されるようにＣＬＵＴを構成していたが、個別的に輝度値が加算または減算されるように（例えば、輝度値が２００未満以下である色のみ、その輝度値が３０加算される等）ＣＬＵＴを構成しても良い。
【０１０４】
［３．第２実施形態］
［３．１  地図情報表示システムＳ２の構成及び機能概要等］
次に、本願の第２実施形態について説明する。なお、図９は、第２実施形態に係る地図情報表示システムＳ２の概要構成の一例を示す図である。また、図１０は、対応テーブルの内容の一例を示す図である。
【０１０５】
上記説明した第１実施形態では、携帯端末Ｔで地図画像データを省電力用の地図画像データに変換していたが、本実施形態では、図９に示すように、サーバＳＶが、携帯端末Ｔの表示処理方法に対応して、画像表示による消費電力が少なくなるような地図情報に変換した上で携帯端末Ｔに送信し、携帯端末Ｔで表示するようになっている。
【０１０６】
なお、地図情報表示システムＳ２の概要構成及びサーバＳＶ、携帯端末Ｔの構成については、第１実施形態の場合と基本的に同様であるため、以下は、第１実施形態と異なる部分を中心に説明する。
【０１０７】
サーバＳＶは、携帯端末Ｔの表示部２１の表示処理方法を示すデバイスＩＤ（本願係る方法情報の一例）に対応したＣＬＵＴを用いて地図画像データを変換し、携帯端末Ｔに送信する。
【０１０８】
記憶部１１には、携帯端末Ｔの表示処理方法に対応したＣＬＵＴを決定するための対応テーブルが記憶されている。対応テーブルには、例えば、図１０に示すように、表示処理方法に応じＣＬＵＴがデバイスＩＤに対応付けられて設定されている。
【０１０９】
なお、図８においては、７種類のディスプレイ方式について個別のデバイスＩＤを割り当てているが、種類を増減させても良く、例えば、単純に非発光型と自発光型の２種類にしても良い。また、携帯端末Ｔの機種ごとにデバイスＩＤを割り当てても良い。
【０１１０】
受信手段、色変換手段及び送信手段としての制御部１３は、携帯端末Ｔから送信された位置情報及びデバイスＩＤを受信し、地図画像データとＨＴＭＬテキストデータを生成した後、対応テーブルを参照して、デバイスＩＤに対応したＣＬＵＴを用いて第１実施形態と同様の変換処理を行い、変換後の地図画像データとＨＴＭＬテキストデータを含む地図情報を携帯端末Ｔに送信する。
【０１１１】
携帯端末Ｔは、表示部２１のデバイスＩＤをサーバＳＶに送信するとともに、サーバＳＶにおいて省電力用に変換された地図情報を表示する。
【０１１２】
送信手段、受信手段及び表示制御手段としてのシステム制御部２７は、例えば、表示部２１からディスプレイ情報を取得し、あるいは、予めＲＯＭに記録されたディスプレイ情報を参照すること等によりデバイスＩＤを取得し、これをサーバＳＶに送信する。そして、サーバＳＶから送信された地図情報を入力し、これを、そのまま表示部２１に表示させる。
【０１１３】
［３．２  地図情報表示システムＳ２の動作］
次に、地図情報表示システムＳ２の動作について説明する。
【０１１４】
先ず、携帯端末Ｔのシステム制御部２７は、表示部２１のデバイスＩＤを取得する。
例えば、ＲＧＢ独立発光方式の有機ＥＬディスプレイである場合には、デバイスＩＤとして４を取得する。
【０１１５】
そして、システム制御部２７は、操作部２４を介してユーザにより入力された位置情報と、取得されたデバイスＩＤと、を含む地図情報取得要求を、通信処理部２３を制御することにより、サーバＳＶに送信する。
【０１１６】
サーバＳＶの制御部１３は、携帯端末Ｔから送信された地図情報取得要求を、通信処理部１３を介して受信し、この要求に含まれる位置情報から、対応する地図画像データを記憶部１１の地図ＤＢから取得し、この地図データを表示させるタグ情報を含むＨＴＭＬテキストデータを生成する。
【０１１７】
次いで、制御部１３は、地図情報取得要求に含まれるデバイスＩＤに対応するＣＬＵＴを記憶部１１から取得する（例えば、ＲＧＢ独立発光方式の有機ＥＬディスプレイである場合には、前記図４（ｂ））。
【０１１８】
次いで、制御部１３は、第１実施形態における携帯端末Ｔと同様に、表示面積が最大となるオブジェクトを判定し、取得されたＣＬＵＴを参照しながら地図画像データの変換処理を行う。
【０１１９】
その後、制御部１３は、変換された地図画像データを含む地図情報を通信処理部１３を制御することにより携帯端末Ｔに送信する。
【０１２０】
携帯端末Ｔのシステム制御部２７は、サーバＳＶから送信された地図情報を、通信処理部２３を介して入力し、サーバＳＶにて省電力用に変換が行われた地図画像データを表示部２１に表示させる。
【０１２１】
以上説明したように、本実施形態によれば、携帯端末Ｔが、表示処理方法を示すデバイスＩＤをサーバＳＶに送信する。このデバイスＩＤを受信したサーバＳＶは、記憶部１１に記憶された地図画像データが、携帯端末Ｔにおける表示部２１の画面に表示された画像を構成するオブジェクトの中で表示面積が最大であるオブジェクトの色をデバイスＩＤが示す表示処理方法に応じて、当該表示処理による消費電力が最小となるような色に変換し、変換後の地図画像データを含む地図情報を携帯端末Ｔに送信する。そして、地図情報を受信した携帯端末Ｔは、これを表示させる。
【０１２２】
従って、第１実施形態の場合と同様に、各種の表示処理方法に応じて、当該表示処理による消費電力を下げることが可能となる。
【０１２３】
［３．３  変形例］
次に、第２実施形態に係る変形例について説明する。なお、図１１は、第２実施形態の変形例に係る地図情報表示システムＳ３の概要構成の一例を示す図である。
【０１２４】
上記説明した第２実施形態においては、サーバＳＶ側で地図画像データを変換していたが、これに限られるものではなく、例えば、図１１に示すように、携帯端末Ｔ側で変換するように構成することも可能である。
【０１２５】
具体的には、サーバＳＶにおいて、表示処理方法に夫々対応したＣＬＵＴを複数記憶しておくとともに、携帯端末Ｔの動作を制御することにより地図画像情報を表示させるための地図情報表示プログラムを記憶しておく。
【０１２６】
携帯端末Ｔでは、デバイスＩＤを含むプログラム取得要求をサーバＳＶに送信する。
【０１２７】
プログラム取得要求を受信したサーバＳＶは、この要求に含まれるデバイスＩＤに対応するＣＬＵＴを取得する。
【０１２８】
そして、サーバＳＶは、取得されたＣＬＵＴと所定の地図情報表示プログラムとを携帯端末Ｔに送信する。
【０１２９】
ＣＬＵＴと地図情報表示プログラムとを受信した携帯端末Ｔは、このプログラムを実行することにより、地図画像データを生成し、ＣＬＵＴを参照しながら省電力用に変換処理を行い、変換された画像データを表示させる。
【０１３０】
このように、本変形例においても、各種の表示処理方法に応じて、当該表示処理による消費電力を下げることが可能となる。
【０１３１】
なお、携帯端末Ｔの表示処理方法に対応するＣＬＵＴと所定の地図情報表示プログラムを送信するのではなく、例えば、携帯端末Ｔの表示処理方法に対応する地図情報表示プログラムを送信するようにしても良い。
【０１３２】
［４．第３実施形態］
次に、地図情報を表示する携帯端末に本願を適用した場合の実施形態について説明する。
【０１３３】
上記説明した第１及び第２実施形態では、表示する地図情報または地図情報表示プログラムは、サーバＳＶから送信されるようにしていたが、本実施形態においては、地図情報表示プログラムは予め携帯端末Ｔにインストールされており、また、地図情報は、携帯端末Ｔにおいて生成するようになっている。
【０１３４】
また、本実施形態においては、表示内容を簡素化することで、表示処理による消費電力を更に下げるようにしている。
【０１３５】
更にまた、本実施形態においては、通常の地図画像データを表示する通常モードと、省電力用に変換された地図画像データを表示する省電力モードとの、２つのモードで携帯端末Ｔが動作するようになっている。
【０１３６】
［４．１  携帯端末Ｔの構成及び機能］
次に、携帯端末Ｔの構成及び機能について説明するが、構成については、第１実施形態の場合と基本的に同様であるため、以下は、第１実施形態と異なる部分を中心に説明する。なお、図１２は、簡素化表示の一例を示す図であり、（ａ）は詳細表示であり、（ｂ）は簡易表示である。また、図１３は、簡素化表示の他の例を示す図であり、（ａ）は地図と矢印案内による案内表示であり、（ｂ）は矢印案内のみによる案内予表示である。また、図１４は、簡素化表示の他の例を示す図であり、（ａ）はヘッドアップによる表示であり、（ｂ）はノースアップによる表示である。
【０１３７】
携帯端末Ｔの記憶部２２には、地図情報表示プログラム及び表示部２１の表示処理方法に対応したＣＬＵＴが記憶されている。
【０１３８】
また、記憶部２２には、地図画像データを生成するための、例えば、道路データ、建造物データ等が、その位置すべき緯度経度等の位置情報と対応付けられて記憶されている。
【０１３９】
バッテリー２６は、システム制御部２７の制御により、現在のバッテリー残量を示す信号及び現在充電中であるか否か（電源２５がバッテリー２６に接続されているか否か）を示す信号をシステム制御部２７に出力する。
【０１４０】
システム制御部２７は、バッテリー２６から入力されたバッテリー残量を示す信号及び充電中であるか否かを示す信号に基づき、通常モードまたは省電力モードのいずれかのモードで動作するか判定するようになっている。
【０１４１】
例えば、バッテリー２６のバッテリー残量が充分である場合には、通常モードで動作し、バッテリー残量が少ない場合（例えば、バッテリー残量が満充電の１０％以下）には、省電力モードで動作する。また、現在充電中である場合には、バッテリー残量の如何にかかわらず、通常モードで動作する。
【０１４２】
また、システム制御部２７は、操作部２４を介してユーザにより入力された省電力モード設定／解除の指示に基づき、いずれかのモードで動作するか判定するようになっている。
【０１４３】
例えば、省電力モードが設定されている場合は、バッテリー残量及び充電中であるか否かにかかわらず省電力モードで動作し、省電力モードが解除されている場合には、バッテリー残量及び充電中であるか否かの状態に応じたモードで動作する。
【０１４４】
省電力モードで動作する場合、システム制御部２７は、地図画像データに含まれるべきオブジェクトの表示／非表示及び表示方法を制御して、簡素化された地図画像データを生成するようになっている。
【０１４５】
例えば、通常モードでは、図１２（ａ）に示すように、全てのオブジェクトを表示する詳細表示とするが、省電力モードでは、図１２（ｂ）に示すように、重要度の最も低い細街路１０５は表示させない簡易表示とする。
【０１４６】
この例では、表示面積が最大であるオブジェクト以外の他の表示要素のいずれかを画面構成から除外することにより、表示処理による消費電力が最小となる色の面積が大きくなることで、消費電力を下げるようになっている。なお、主要道路１０４も表示させないようにして、自端末１０１、地面１０２及び移動経路１０３のみを表示させるようにしても良い。
【０１４７】
また、他の例として、通常モードでは、図１３（ａ）に示すように、地図画像データと矢印案内１０６の全てのオブジェクトを表示するが、省電力モードでは、図１３（ｂ）に示すように、矢印案内１０６のみ表示し、背景は、表示処理による消費電力が最小となる色（非発光方式の場合は光源色、自発光方式の場合は黒色）で表示する。
【０１４８】
この例では、表示させるオブジェクトを選択することにより、表示処理による消費電力が最小となる色の面積が大きくなることで、消費電力を下げるようになっている。
【０１４９】
更に他の例として、通常モードでは、図１４（ａ）に示すように、自端末１０１の位置は中央、進行方向が画面上方となるように固定し、自端末の移動に合わせて地図（主要道路１０４、細街路１０５、建造物１０７等のオブジェクト）を移動、回転させる、所謂ヘッドアップで表示するが、省電力モードでは、図１４（ｂ）に示すように、地図は、北が画面上方となるように固定し、自端末１０１を移動、回転させる、所謂ノースアップで表示する。
【０１５０】
この例では、画面の変化量を減少させることにより、印加される電圧が変化する液晶、発光体等の総数が減少するため、その結果として、消費電力が下がるようになっている。
【０１５１】
上記３例においては、表示内容を簡素化することにより、システム制御部２７の計算量も減少するため、ＣＰＵの消費電力も減少することとなる。
【０１５２】
なお、上記各例においては、それらを単独で用いても良いし、他の例と組み合わせて用いても良い。
【０１５３】
［４．２  携帯端末Ｔの動作］
次に、携帯端末Ｔの動作について説明する。ここで、図１５は、第３実施形態に係る携帯端末Ｔのシステム制御部２７の処理の一例を示すフローチャートである。
【０１５４】
図１５に示すように、システム制御部２７は、先ず、ユーザに省電力モードが設定されているか否かを判定し（ステップＳ１）、省電力モードが設定されている場合は（ステップＳ１：ＹＥＳ）、省電力モード（ステップＳ５）に移行し、設定されていない場合は（ステップＳ１：ＮＯ）、ステップＳ２に移行する。
【０１５５】
ステップＳ２において、システム制御部２７は、バッテリー２６が現在充電中であるか否かを判定し、充電中である場合は（ステップＳ２：ＹＥＳ）、通常モード（ステップＳ４）に移行し、充電中でない場合は（ステップＳ２：ＮＯ）、ステップＳ３に移行する。
【０１５６】
ステップＳ３において、システム制御部２７は、バッテリー残量が１０％以下であるか否かを判定し、１０％以下である場合は（ステップＳ３：ＹＥＳ）、省電力モード（ステップＳ５）に移行し、１０％を超えている場合は（ステップＳ３：ＮＯ）、通常モード（ステップＳ４）に移行する。
【０１５７】
通常モードと判定された場合、システム制御部２７は、表示内容の簡素化や地図画像データの変換を行わずに、地図画像データを生成し、表示する（ステップＳ４）。
【０１５８】
一方、省電力モードと判定された場合、システム制御部２７は、表示内容の簡素化及び地図画像データの変換を行い、地図画像データを生成し、表示する（ステップＳ５）。
【０１５９】
具体的には、地図画像データが表示部２１の画面に表示される範囲を含む所定の範囲の画像を構成するオブジェクトの中で、表示面積が最大となるオブジェクトを判定する。
【０１６０】
そして、システム制御部２７は、表示面積が最大となるオブジェクト以外の他のオブジェクトの中で、例えば、細街路１０５を、表示されるべき画像の構成から除外して、ノースアップで表示されるように地図画像データを生成する。
【０１６１】
そして、システム制御部２７は、第１実施形態の場合と同様に、ＣＬＵＴを参照しながら地図画像データの変換処理を行い、表示部２１に変換後の地図画像データを表示させる。
【０１６２】
なお、矢印案内１０６による案内表示を行う場合、システム制御部は、表示対象として矢印案内１０６を選択し、矢印案内１０６のみで地図画像データを生成した後、矢印案内１０６が表示されない範囲については、表示部２１の表示処理方法に対応して、消費電力が最小となる色に変換し、変換後の地図画像データを表示させる。
【０１６３】
以上説明したように、本実施形態によれば、第１実施形態の場合と同様に、各種の表示処理方法に応じて、当該表示処理による消費電力を下げることが可能となる。
【０１６４】
また、表示面積が最大であるオブジェクト以外の他のオブジェクトの少なくともいずれかを表示部２１の画面に表示される画像の構成から除外するので、消費電力が最小となるような色が表示される面積が大きくなることで、更に消費電力を下げることが可能となる。
【０１６５】
また、矢印案内１０６を表示対象として選択し、表示部２１の画面において、矢印案内１０６が表示されない範囲の画像の色を、表示部２１の表示処理方法に応じて、当該表示処理による消費電力が最小となるような色に変換するので、消費電力が最小となるような色が表示される面積が大きくなることで、更に消費電力を下げることが可能となる。
【０１６６】
また、ノースアップで地図画像データを生成するようにしたので、ヘッドアップで生成する場合に比して、単位時間当たりの表示変化量が減少し、印加される電圧が変化する液晶、発光体等の総数が減少するため、更に、消費電力を下げることが可能となる。
【０１６７】
なお、上記各実施形態においては、表示装置に携帯端末を適用したが、これに限られるものではなく、例えば、据え置き型のパーソナルコンピュータ、デジタルテレビ、ＳＴＢ（Set Top Box）等を適用しても良い。
【０１６８】
また、上記各実施形態においては、本願を地図情報表示システム、または地図情報表示プログラムに適用したが、これに限られるものではなく、例えば、コンテンツ配信システム、アプリケーション配信システム等のシステムや、テレビゲーム等の各種アプリケーションに適用しても良い。
【図面の簡単な説明】
【０１６９】
【図１】ディスプレイの各表示処理方法における省電力の例を示す図である。
【図２】第１実施形態に係る地図情報表示システムＳの概要構成の一例を示す図である。
【図３】第１実施形態に係るサーバＳＶの概要構成の一例を示すブロック図である。
【図４】第１実施形態に係る携帯端末Ｔの概要構成の一例を示すブロック図である。
【図５】ＣＬＵＴの一例を示す図である。
【図６】非発光方式のディスプレイにおいて、地図画像データ上の各オブジェクトの色が変換される様子を示す図であり、（ａ）は、変換前の地図画像データであり、（ｂ）は、変換前の各オブジェクトのＲＧＢごとにおける輝度値であり、（ｃ）は、変換後の地図画像データであり、（ｄ）は、変換後の各オブジェクトのＲＧＢごとにおける輝度値である。
【図７】自発光方式のディスプレイにおいて、地図画像データ上の各オブジェクトの色が変換される様子を示す図であり、（ａ）は、変換前の地図画像データであり、（ｂ）は、変換前の各オブジェクトのＲＧＢごとにおける輝度値であり、（ｃ）は、変換後の地図画像データであり、（ｄ）は、変換後の各オブジェクトのＲＧＢごとにおける輝度値である。
【図８】第１実施形態の変形例に係る地図情報表示システムＳ１の概要構成の一例を示す図である。
【図９】第２実施形態に係る地図情報表示システムＳ２の概要構成の一例を示す図である。
【図１０】対応テーブルの内容の一例を示す図である。
【図１１】第２実施形態の変形例に係る地図情報表示システムＳ３の概要構成の一例を示す図である。
【図１２】簡素化表示の一例を示す図であり、（ａ）は詳細表示であり、（ｂ）は簡易表示である。
【図１３】簡素化表示の他の例を示す図であり、（ａ）は地図と矢印案内による案内表示であり、（ｂ）は矢印案内のみによる案内予表示である。
【図１４】簡素化表示の他の例を示す図であり、（ａ）は地図と矢印案内による案内表示であり、（ｂ）は矢印案内のみによる案内予表示である。
【図１５】第３実施形態に係る携帯端末Ｔのシステム制御部２７の処理の一例を示すフローチャートである。
【符号の説明】
【０１７０】
１１  記憶部
１２  通信部
１３  制御部
１４  システムバス
２１  表示部
２２  記憶部
２３  通信処理部
２４  操作部
２５  電源
２６  バッテリー
２７  システム制御部
１０１  自端末
１０２  地面
１０３  移動経路
１０４  主要道路
１０５  細街路
１０６  矢印案内
１０７  建造物
Ｓ、Ｓ１、Ｓ２、Ｓ４  地図情報表示システム
Ｔ  携帯端末
ＳＶ  サーバ
【図１】
2007114579.tif 000003
【図２】
2007114579.tif 000004
【図３】
2007114579.tif 000005
【図４】
2007114579.tif 000006
【図５】
2007114579.tif 000007
【図６】
2007114579.tif 000008
【図７】
2007114579.tif 000009
【図８】
2007114579.tif 000010
【図９】
2007114579.tif 000011
【図１０】
2007114579.tif 000012
【図１１】
2007114579.tif 000013
【図１２】
2007114579.tif 000014
【図１３】
2007114579.tif 000015
【図１４】
2007114579.tif 000016
【図１５】
2007114579.tif 000017